【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
連成曲げ・ねじり振動モードで振動する測定管を有するコリオリ型質量流量計であって、回転対称軸に対して回転対称に形成され、測定管のねじり振動モードと同じ周波数で逆位相のねじり振動させられる取付け部品が、測定管と機械的に結合され、取付け部品の前記回転対称軸が、測定区間の入口及び測定区間の出口の夫々の横断面の中心点を通る直線（中心軸）と平行に延び又はこれと一致しているコリオリ型質量流量計。
【請求項２】
前記取付け部品は、前記回転対称軸に垂直に配向されて前記測定区間の中央で前記中心軸をよぎる対称面に関して鏡映対称である請求項１に記載のコリオリ型質量流量計。
【請求項３】
曲げ及び／又はねじり力の補償のための少なくとも１個の補償部材が、前記測定管に取付けられている請求項１又は２に記載のコリオリ型質量流量計。
【請求項４】
前記取付け部品は、入口側及び出口側で前記測定管に結合されている請求項１ないし３のいずれか１つに記載のコリオリ型質量流量計。
【請求項５】
前記取付け部品は、測定区間の入口側及び出口側端部で前記測定管に結合されている請求項１ないし４のいずれか１に記載のコリオリ型質量流量計。
【請求項６】
前記取付け部品は、測定区間の内部で前記測定管に結合されている請求項１ないし４のいずれか１に記載のコリオリ型質量流量計。
【請求項７】
補償部材が、測定区間の内部で前記測定管に取付けられている請求項１又は２のいずれか１つに記載のコリオリ型質量流量計。
【請求項８】
前記取付け部品は、少なくとも測定区間の区域で前記測定管を取り囲んでいる請求項１ないし７のいずれか１つに記載のコリオリ型質量流量計。
【請求項９】
前記取付け部品は、前記測定管の外部に配置されているが、前記測定管に結合されている請求項１ないし４のいずれか１つに記載のコリオリ型質量流量計。
【請求項１０】
質量流量計が、単一の真直測定管からなる請求項１ないし９のいずれか１つに記載のコリオリ型質量流量計。
【請求項１１】
前記測定管は、湾曲した測定管からなる請求項１ないし９のいずれか１つに記載のコリオリ型質量流量計。
【請求項１２】
前記測定管は、Ｕ形又はＳ形又はＶ形に折れ曲がっている請求項１１に記載のコリオリ型質量流量計。
【請求項１３】
前記取付け部品は、第１の入口側部分、第２の出口側部分及び第３の中間部分を少なくとも有し、各部分が、回転対称軸に対して回転対称に形成されている請求項１ないし１２のいずれか１つに記載のコリオリ型質量流量計。
【請求項１４】
前記部分間の接合部が、段階状に形成されている請求項１３に記載のコリオリ型質量流量計。
【請求項１５】
前記部分間の接合部が、連続的に形成されている請求項１３に記載のコリオリ型質量流量計。
【請求項１６】
前記中間部分のねじり面モーメントは、入口側及び出口側部分のねじり面モーメントより大きい請求項１３ないし１５のいずれか１に記載のコリオリ型質量流量計。
【請求項１７】
前記入口側及び出口側部分は、ねじりばねとして、前記中間部分は、慣性質量として作用する請求項１３ないし１６のいずれか１に記載のコリオリ型質量流量計。
【請求項１８】
前記取付け部品のねじり振動モードの周波数及び位相は、前記中間部分と入口側及び出口側部分とのねじり面モーメントの比並びに中間部分と入口側又は出口側部分との間の接合部の位置によって調整し得る請求項１７に記載のコリオリ型質量流量計。
【請求項１９】
前記取付け部品は、測定管のねじり振動と同じ周波数で逆位相のねじり振動させられる請求項１ないし１８のいずれか１つに記載のコリオリ型質量流量計。
【請求項２０】
前記取付け部品の少なくとも１つの部分は、中空体である請求項１ないし１９のいずれか１つに記載のコリオリ型質量流量計。
【請求項２１】
前記取付け部品の少なくとも１つの部分は、薄肉の中空体である請求項１ないし２０のいずれか１つに記載のコリオリ型質量流量計。
【請求項２２】
前記薄肉の中空体は、中空円筒又は中空直方体である請求項２１に記載のコリオリ型質量流量計。
【請求項２３】
前記取付け部品の少なくとも１つの部分は、多部材組立品である請求項２２に記載のコリオリ型質量流量計。
【請求項２４】
前記多部材組立品は、回転対称軸と平行に延びて、測定管の軸に垂直に延びている板に保持された細長い部材からなっている請求項２３に記載のコリオリ型質量流量計。
【請求項２５】
前記細長い部材は、異形レールである請求項２４に記載のコリオリ型質量流量計。
【請求項２６】
前記細長い部材は、中空体である請求項２４に記載のコリオリ型質量流量計。
【請求項２７】
前記入口側及び出口側部分の各々は、細長い半径方向結合部材によって前記測定管に取付けられた円環からなり、前記中間部分は、剛直な結合体からなっている請求項１３ないし２６のいずれか１つに記載のコリオリ型質量流量計。
【請求項２８】
前記剛直な結合体は、中空体である請求項２７に記載のコリオリ型質量流量計。
【請求項２９】
前記中空体は、中空円筒である請求項２８に記載のコリオリ型質量流量計。
【請求項３０】
前記中空体は、中空直方体である請求項２８に記載のコリオリ型質量流量計。
【請求項３１】
前記剛直な結合体は、多部材組立品である請求項２７に記載のコリオリ型質量流量計。
【請求項３２】
前記剛直な結合体は、回転対称軸と平行に延びる細長い部材からなっている請求項３１に記載のコリオリ型質量流量計。
【請求項３３】
前記細長い部材は、異形レール又は桁材又は棒材である請求項３２に記載のコリオリ型質量流量計。
【請求項３４】
前記細長い部材は、中空体である請求項３２に記載のコリオリ型質量流量計。
【請求項３５】
前記取付け部品のねじり振動特性は、前記細長い半径方向結合部材の寸法によって調整可能である請求項２７ないし３４のいずれか１つに記載のコリオリ型質量流量計。
【請求項３６】
励振装置が、前記取付け部品に取付けられている請求項１ないし３５のいずれか１つに記載のコリオリ型質量流量計。
【請求項３７】
振動の検出のためのセンサが、前記取付け部品に取付けられている請求項１ないし３５のいずれか１つに記載のコリオリ型質量流量計。
【請求項３８】
再調整のための調整部材が、前記取付け部品に取付けられている請求項１ないし３７のいずれか１に記載のコリオリ型質量流量計。
【請求項３９】
前記取付け部品は、前記測定区間に取付けられ、かつねじり可能な結合体によって互いに結合されている入口側の第１の剛直な板と出口側の第２の剛直な板とを有している請求項１ないし３８のいずれか１つに記載のコリオリ型質量流量計。
【請求項４０】
前記ねじり可能な結合体は、中空体である請求項３９に記載のコリオリ型質量流量計。
【請求項４１】
前記中空体は、中空円筒又は中空直方体である請求項４０に記載のコリオリ型質量流量計。
【請求項４２】
前記ねじり可能な結合体は、多部材組立品である請求項３９に記載のコリオリ型質量流量計。
【請求項４３】
前記ねじり可能な結合体は、前記測定管の軸と平行に延びている細長い部材により形成されている請求項４２に記載のコリオリ型質量流量計。
【請求項４４】
前記細長い部材は、異形レール又は桁材又は棒材である請求項４３に記載のコリオリ型質量流量計。
【請求項４５】
前記細長い部材は、中空体である請求項４４に記載のコリオリ型質量流量計。
【請求項４６】
連成曲げ・ねじり振動モードで振動する測定管を有するコリオリ型質量流量計において、共通の回転対称軸に対して回転対称に形成され、前記測定管のねじり振動モードと同じ周波数で逆位相のねじり振動させられる少なくとも２個の取付け部品が、前記測定管と機械的に結合され、前記両取付け部品の共通の回転対称軸が、測定区間の入口及び測定区間の出口の両横断面の夫々の中心点を通る直線（中心軸）と平行に延び又はこれと一致しているコリオリ型質量流量計。
【請求項４７】
前記測定区間の入口側及び出口側端部で、前記少なくとも２個の取付け部品の各々１個の入口側及び出口側円環状取付け部品が、細長い半径方向結合部材によって前記測定管に取付けられている請求項４６に記載のコリオリ型質量流量計。
【請求項４８】
前記細長い半径方向結合部材は、棒材、桁材又は管である請求項４７に記載のコリオリ型質量流量計。
【請求項４９】
前記少なくとも２個の取付け部品の入口側又は出口側円環状取付け部品の振動特性は、前記細長い半径方向結合部材の寸法によって調整可能である請求項４８に記載のコリオリ型質量流量計。
【請求項５０】
前記少なくとも２個の取付け部品は、細長い部材の対である請求項４６に記載のコリオリ型質量流量計。
【請求項５１】
補償部材が、前記中心軸に対して偏心に取付けられた剛直な樋状物又は補償管である請求項３又は７に記載のコリオリ型質量流量計。
【請求項５２】
中心軸に対して偏心に取付けられた片持質量が、補償部材として前記測定管に取付けられている請求項１又は２に記載のコリオリ型質量流量計。